(57)【特許請求の範囲】
【請求項１】
粘着面が表側に向けて露出するように多重に巻回された粘着テープロールを回転可能に支持し、手によって把持されるグリップ部を備えた清掃具本体と、内部に上記粘着テープロールが収納されるテープ収納部を有し、未使用時に上記粘着面を保護するとともに、上記グリップ部を上にした状態で上記清掃具本体を保管するカバーとを備える粘着式清掃具において、
上記テープ収納部は、上記粘着テープロールの初期最大外径よりも大きな内径を有する内周面を備え、上記清掃具本体と上記カバーとの間には、上記粘着テープロールを上記テープ収納部に収納した際、上記粘着テープロールの上記粘着面が上記内周面に非接触状態となるように支持する支持手段が設けられており、
上記カバーは、互いに突き合わせられることにより、内部に上記テープ収納部が形成される開閉可能な一対のカバーメンバーからなり、上記各カバーメンバーは、それらの各基端同士がヒンジ手段を介して連結されているとともに、
上記各カバーメンバーの自由端側のほぼ中央には、一方の上記支持手段としての係合凹部が形成され、
上記グリップ部の下端側には、他方の上記支持手段としての係合凸部が全周にわたって形成されており、
上記係合凹部は、上記各カバーメンバーの自由端に設けられ互いに突き合わされて開口部を形成する係合リブと、上記各カバーメンバーの内面側に一体に設けられ上記係合リブとの間で上記係合凸部を収納する収納スペースを形成する基部とからなり、
上記各カバーメンバーが閉じられる際、上記グリップ部の下端側が上記開口部内に配置されるとともに、上記係合凸部が上記係合凹部の上記収納スペース内に収納され、上記粘着テープロールが上記テープ収納部内で宙づり状態を維持しながら保管されることを特徴とする粘着式清掃具。
【発明の詳細な説明】
【０００１】
【発明の属する技術分野】
本発明は、清掃具本体と、同清掃具本体を保護するカバーとからなる粘着式清掃具に関し、さらに詳しくいえば、清掃具本体の収納時に粘着テープロールの粘着面がカバー内面に付着しないようにした粘着式清掃具に関する。
【０００２】
【従来の技術】
例えば、絨毯などに絡み付いた毛髪や埃などのごみは、電気掃除機で吸引除去しようとしても、なかなか上手に取ることができない。また、食べかすなど一寸したごみを取る場合、電気掃除機をいちいち取り出してきて清掃するのに面倒を覚えることがある。
【０００３】
このような場合、粘着テープロールは手軽で便利であり、各家庭などにおいて普及されている。すなわち、粘着テープロールは、紙製や樹脂製などの帯状テープの一方の面を粘着面とし、その粘着面を表側（外側）にして巻回したものであり、床などの被清掃面上を転がすことにより、ごみを簡単に取ることができる。
【０００４】
通常、この種の粘着テープロールはスペアテープでない限り、専用の清掃具に装着された状態で販売され、実際にはこの清掃具を使って清掃に供される。この種の清掃具は、一般的な構成として、粘着テープロールを回転可能に支持し、手によって把持されるグリップ部を備えている。
【０００５】
多くの場合、この種の清掃具には、不使用時に粘着テープロールの粘着面を保護するとともに、所定位置に保管しておくためのカバーが設けられている。カバーは、例えば中空な円筒体からなり、内部に粘着テープロールが収納可能なテープ収納部を備え、この中に粘着テープロールを挿入して保管するようにしたものが一般的である。
【０００６】
【発明が解決しようとする課題】
しかしながら、今までの粘着式清掃具は、清掃具本体に装着された粘着テープロールを単にカバー内に挿入する形態であるため、粘着面がテープ収納部内面に付着してしまい、収納時や取出時に煩わしさを伴った。
【０００７】
そればかりでなく、粘着テープロールは、清掃を重ねるにつれて被清掃面である粘着テープが剥ぎ取られることにより、その外径が小さくなり、カバー内で粘着テープロールがガタつく。その結果、粘着面が内周面に貼り付きやすく、保管姿勢が不安定になりやすかった。
【０００８】
本発明は、上述した課題を解決するためになされたものであって、その目的は、粘着テープロールの径寸法にかかわらず、その粘着面がカバー内面に接触せず、常に安定した状態で保管が可能な粘着式清掃具を提供することにある。
【０００９】
【課題を解決するための手段】
上述した目的を達成するため、本発明は、粘着面が表側に向けて露出するように多重に巻回された粘着テープロールを回転可能に支持し、手によって把持されるグリップ部を備えた清掃具本体と、内部に上記粘着テープロールが収納されるテープ収納部を有し、未使用時に上記粘着面を保護するとともに、上記グリップ部を上にした状態で上記清掃具本体を保管するカバーとを備える粘着式清掃具において、上記テープ収納部は、上記粘着テープロールの初期最大外径よりも大きな内径を有する内周面を備え、上記清掃具本体と上記カバーとの間には、上記粘着テープロールを上記テープ収納部に収納した際、上記粘着テープロールの上記粘着面が上記内周面に非接触状態となるように支持する支持手段が設けられており、上記カバーは、互いに突き合わせられることにより、内部に上記テープ収納部が形成される開閉可能な一対のカバーメンバーからなり、上記各カバーメンバーは、それらの各基端同士がヒンジ手段を介して連結されているとともに、上記各カバーメンバーの自由端側のほぼ中央には、一方の上記支持手段としての係合凹部が形成され、上記グリップ部の下端側には、他方の上記支持手段としての係合凸部が全周にわたって形成されており、上記係合凹部は、上記各カバーメンバーの自由端に設けられ互いに突き合わされて開口部を形成する係合リブと、上記各カバーメンバーの内面側に一体に設けられ上記係合リブとの間で上記係合凸部を収納する収納スペースを形成する基部とからなり、上記各カバーメンバーが閉じられる際、上記グリップ部の下端側が上記開口部内に配置されるとともに、上記係合凸部が上記係合凹部の上記収納スペース内に収納され、上記粘着テープロールが上記テープ収納部内で宙づり状態を維持しながら保管されることを特徴としている。
【００１０】
これによれば、粘着テープロールの径寸法にかかわらず、常に粘着テープロールが収納部の内周面に非接触状態に保管されているので、粘着面が内周面に付着するおそれがなく、安定した状態のまま保管することができる。また、その保管態様は、据置型でも吊下型でも、いずれであってもよい。
【００１１】
本発明の「初期最大外径」とは、粘着テープロールが未だ一度も使用されていない状態（工場出荷状態）における粘着テープロールの最大外径をいう。
【００１４】
【発明の実施の形態】
次に、本発明の実施の形態について図面を参照しながら説明する。図１は、本発明の一実施形態に係る粘着式清掃具の分解斜視図であり、図２はカバーを被せた状態の斜視図である。図３には、カバーを被せた状態の内部構造が示されている。
【００１５】
この粘着式清掃具１は、粘着テープロール３を回転可能に支持する清掃具本体２と、同清掃具本体２に対して着脱自在に取り付けられるカバー４とを備えている。
【００１６】
清掃具本体２は、手によって把持されるグリップ部２１と、同グリップ部２１の下端からグリップ部２１とは離反する方向に突設された支持部２４とを備え、支持部２４には、粘着テープロール３の巻芯に沿って挿入されるローラ２５が回転可能に設けられている。
【００１７】
粘着テープロール３は、帯状の粘着テープを粘着面３１が表側を向くように図示しない巻芯に多重に巻回したものからなり、ほぼ１周長毎に汚れた粘着テープを切り離すための切れ目（図示しない）が設けられている。
【００１８】
本発明において、粘着テープの材質や形状、または切れ目の構造などは任意であってよく、特に限定されずに適宜選択して採用することができる。
【００１９】
グリップ部２１は、合成樹脂製の成型品からなり、手で把持しやすいよう扁平な板状体に形成されている。グリップ部２１の上端側には、例えばフックなどの吊下治具に引っ掛けたり、紐などを挿通するための挿通孔２１１が設けられている。この実施形態において、グリップ部２１は扁平な板状に形成されているが、丸棒状であってもよく、その形状は特に限定されない。
【００２０】
グリップ部２１の下端側には、後述する支持手段の係合凹部７に形成された開口部７２の開口径よりも大きな外径を有する基端部２２が一体に形成されている。
【００２１】
支持部２４は、ステンレスなどの金属棒をＵ字状に折り曲げ、その一端を上記基端部２２からグリップ部２１の軸線に対して直角に接続して、上記グリップ部２１から離反する方向に突設したものからなり、他端側には上述したローラ２５が支持部２４の軸線に沿って同軸的に回転可能に取り付けられている。
【００２２】
カバー４は、半円筒形状を有する一対のカバーメンバー５，６からなり、各カバーメンバー５，６を互いに付き合わせることにより、内部に上記粘着テープロール３が収納されるテープ収納部４１が形成される（図３参照）。カバーメンバー５，６の各基端同士は、薄肉ヒンジによって連結されており、この薄肉ヒンジを介して、自由端が開閉可能とされている。
【００２３】
粘着テープロール３に対向する側の面である内周面５１，６１は、各カバーメンバー５，６を閉じたときに、粘着テープロール３の最大初期外径よりも大きな内径になるように凹まされ、これに伴って、外側の面が張り出されている。この実施形態において、内周面５１，６１には、周面に沿って補強用のリブ５２，６２が一定間隔で３カ所突設されている。
【００２４】
カバー４の側面には、カバー４内に粘着テープロール３を収納した際に、支持部２４の一部をカバー４外に引き出すための引出孔４２が設けられている。この実施形態において、引出孔４２は、各カバーメンバー５，６の対向する側端面の相対位置に半円状に切り欠かれた切欠部５５，６５を互いに向き合わせることにより形成される。
【００２５】
本発明において、グリップ部２１とカバー４との間には、粘着テープロール３をテープ収納部４１内に接触しないように支持する支持手段が設けられている。すなわち、この支持手段は、グリップ部２１の下端の基端部２２に形成された係合凸部２３と、各カバーメンバー５，６の自由端側のほぼ中央に形成された係合凹部７，７との組み合わせによって構成されている。
【００２６】
係合凸部２３は、基端部２２の下端側から離反する方向に一体的に突設され、上記グリップ部２１に似た扁平な板状凸部に形成されている。係合凸部２３は、いわゆるキノコ状に形成され、その先端部には拡径された凸部２３１を備え、基端部２２の付け根部から凸部２３１までの間が係合溝２３２として一段低く形成されている。
【００２７】
各カバーメンバー５，６の自由端側のほぼ中央には、上述した係合凸部２３が係合される係合凹部７（係合手段）が形成されている。図３に示すように、係合凹部７は、互いに突き合わせられることにより、テープ収納部４１内の上部中央に係合凸部２３を収納する収納スペース７３を形成する基部７１，７１と、互いに突き合わせられることにより、収納スペース７３に連通可能な開口部を形成し、上記係合溝２３２に沿って係合される係合リブ７２，７２とから構成されている。
【００２８】
この実施形態において、係合リブ７２，７２は、互いに向き合った状態において、その開口径が係合凸部２３の凸部２３１よりも小さく、かつ、係合溝２３２よりも小さくなるように形成されている。これによれば、図３に示すように、係合リブ７２，７２が、係合凸部２３の係合溝２３２に沿って係合されることにより、カバー４内における高さ方向の移動が規制され、粘着テープロール３がテープ収納部４１内で宙吊り状態を維持しながら保管される。
【００２９】
図１に示すように、この実施形態において、カバーメンバー５の内周面５１の自由端側には、カバー４の付き合わせた状態でロックするための係止部５３，５３が突設され、他方のカバーメンバー６の内周面６１の自由端側には、上記係止部５３，５３に係止される係止爪６３，６３とが、それぞれ係合凹部７を挟んだ相対位置に左右一対に突設されている。
【００３０】
これによれば、カバー４を閉状態とした際、係止部５３，５３に係止爪６３，６３がロックされることにより、閉状態を維持することができる。なお、この実施形態においては、係止爪を使ってロックするようにしているが、これ以外のロック機構を採用してもよく、本発明において、ロック機構は任意的な構成要素である。
【００３１】
図２および３に示すように、この実施形態において、カバーメンバー５，６の薄肉ヒンジ側の外周面には、組立状態において、カバー４を被載置面に安定して乗せ置くことができるようにするための、脚部５４，６４がそれぞれ２カ所づつ計４カ所に設けられている。これにより、組立時にカバー４の下側には円筒状の２本の脚が構成され、被載置面上に安定して置くことができる。なお、この脚部５４，６４も上記ロック機構と同じく任意的な構成要素である。
【００３２】
次に、清掃具本体２をカバー４に収納する方法の一例を例示する。まず、粘着テープロール３が真下になるようにグリップ部２１を手で把持し、図１の状態となっているカバー４の薄肉ヒンジ部周辺を粘着面で押し下げる。徐々に押し込んでゆくと、床面に沿って各カバーメンバー５，６の外周面が移動し、各カバーメンバー５，６の自由端側が立ち上がり始める。
【００３３】
さらに、押し下げるとカバーメンバー５，６の自由端側は突き合わさるが、このとき、図４に示すように、清掃具本体２の係合凸部２３を各カバーメンバー５，６の係合凹部７，７の収納スペース７３内に沿って係合させる。
【００３４】
しかる後、カバーメンバー５の係止部５３，５３にカバーメンバー６の係止爪６３、６３が係止され、カバー４の開閉が規制される。この状態が図３の状態である。
【００３５】
これによれば、粘着テープロール３の外径が、初期最大外径Ａであっても、最小外径Ｂであっても、常に粘着テープロール３の中心はテープ収納部４１のほぼ中央になるように宙吊り状態で保持される。
【００３６】
なお、この実施形態において、粘着式清掃具１の保管形態は、被載置面に対してカバー４を乗せ置いて保管する据置型となっているが、係合凹部７と係合凸部２３とからなる支持手段は、テープ収納部４１内における粘着テープロール３の高さ方向の移動を確実に規制しているため、例えばグリップ部２１の挿通孔２１１を介して吊り下げて保管する吊下型の保管態様に適用した場合であっても、その効果は変わらない。
【００３７】
【発明の効果】
以上説明したように、本発明によれば、粘着面が表側に向けて露出するように多重に巻回された粘着テープロールを回転可能に支持し、手によって把持されるグリップ部を備えた清掃具本体と、内部に上記粘着テープロールが収納されるテープ収納部を有し、未使用時に上記粘着面を保護するとともに、上記グリップ部を上にした状態で上記清掃具本体を保管するカバーとを備える粘着式清掃具において、上記テープ収納部は、上記粘着テープロールの初期最大外径よりも大きな内径を有する内周面を備え、上記清掃具本体と上記カバーとの間には、上記粘着テープロールを上記テープ収納部に収納した際、上記粘着テープロールの上記粘着面が上記内周面に非接触状態となるように支持する支持手段が設けられていることにより、粘着テープロールの径寸法にかかわらず、常に粘着テープロールが収納部の内周面に非接触状態（宙吊り状態）で保管されているので、粘着面が内周面に付着するおそれがなく、安定した状態のまま保管することができる。
【図面の簡単な説明】
【図１】本発明の一実施形態に係る粘着式清掃具の分解斜視図。
【図２】清掃具本体をカバーに収納した状態の斜視図。
【図３】清掃具本体にカバーを被せた状態の内部構造を示す断面図。
【図４】清掃具本体にカバーを取り付ける方法を説明するための説明図。
【符号の説明】
１  粘着式清掃具
２  清掃具本体
２１  グリップ部
２２  基端部
２３  係合凸部
２４  支持部
２５  ローラ
３  粘着テープ
４  カバー
５，６  カバーメンバー
７  係合凹部
【図１】
0004353350.tif 000002
【図２】
0004353350.tif 000003
【図３】
0004353350.tif 000004
【図４】
0004353350.tif 000005